【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
アクセスポイントデータベースの情報を提供する方法であって、
モバイルクライアントから前記アクセスポイントデータベースにアクセスするための要求を受信すること、
少なくとも前記モバイルクライアントのアプリケーション要件に従って前記アクセスポイントデータベースのセグメントを生成すること、ここにおいて、前記モバイルクライアントの前記アプリケーション要件は、前記モバイルクライアントによって要求されるプレシジョンレベル、および前記モバイルクライアントのキャッシュレベルを備える、そして、
前記モバイルクライアントに前記アクセスポイントデータベースの前記セグメントを提供すること、
を備える、上記方法。
【請求項２】
前記アクセスポイントデータベースのセグメントを生成することは、
リアル‐タイムで前記アクセスポイントデータベースの前記セグメントを生成すること、そして、
あらかじめ生成され、および前記アクセスポイントデータベースに記憶された前記アクセスポイントデータベースの前記セグメントを提供すること、
のうちの少なくとも１つを備える、請求項１に記載の方法。
【請求項３】
前記アクセスポイントデータベースのセグメントを生成することは、
前記モバイルクライアントが位置される前記地理的エリアにおける複数のアクセスポイントの密度に従って前記アクセスポイントデータベースの前記セグメントのサイズを低減すること、
前記モバイルクライアントが位置される前記地理的エリアの建物の形態に従って前記アクセスポイントデータベースの前記セグメントのサイズを低減すること、
前記モバイルクライアントが位置される前記地理的エリアにおける１つ以上のアクセスポイントのポピュラリティに従って前記アクセスポイントデータベースの前記セグメントのサイズを低減すること、そして、
前記モバイルクライアントが位置される前記地理的エリアにおける１つ以上のアクセスポイントの最大のアンテナレンジフィールドに従って前記アクセスポイントデータベースの前記セグメントのサイズを低減すること、
のうちの少なくとも１つをさらに備える、請求項１に記載の方法。
【請求項４】
複数のアクセスポイントの密度に従って前記アクセスポイントデータベースの前記セグメントのサイズを低減することは、
前記モバイルクライアントが位置される前記地理的エリアにおけるアクセスポイントの数を決定すること、そして、
所定の低減ファクタに少なくとも部分的に基づいてアクセスポイントの前記数を低減すること、
を備える、請求項３に記載の方法。
【請求項５】
前記地理的エリアの建物の形態に従って前記アクセスポイントデータベースの前記セグメントのサイズを低減することは、
前記モバイルクライアントが位置される前記地理的エリアにおける建物の密度を入手することおよび前記地理的エリアにおける建物の前記密度に少なくとも部分的に基づいてアクセスポイントの数を低減すること、
前記モバイルクライアントが位置される建物の高さを入手することおよび前記建物の前記高さに少なくとも部分的に基づいてアクセスポイントの前記数を低減すること、そして、
前記建物における複数のアクセスポイントの高度情報を入手することおよび前記高度情報に従ってアクセスポイント配分を維持すること、
のうちの少なくとも１つを備える、請求項３に記載の方法。
【請求項６】
前記地理的エリアにおける１つ以上のアクセスポイントのポピュラリティに従って前記アクセスポイントデータベースの前記セグメントのサイズを低減することは、
前記地理的エリアにおけるモバイルクライアントによる前記１つ以上のアクセスポイントの使用に従って前記１つ以上のアクセスポイントの各々にスコアを割り当てること、そして、
前記１つ以上のアクセスポイントの各々の前記スコアに少なくとも部分的に基づいてアクセスポイントの数を維持すること、
を備える、請求項３に記載の方法。
【請求項７】
前記地理的エリアにおける１つ以上のアクセスポイントの最大のアンテナレンジフィールドに従って前記アクセスポイントデータベースの前記セグメントのサイズを低減することは、
最大のアンテナレンジの大きい、中間の、および小さい値を有する複数のアクセスポイントの既定の比率に少なくとも部分的に基づいて複数のアクセスポイントを低減すること、
を備える、請求項３に記載の方法。
【請求項８】
少なくとも前記モバイルクライアントのアプリケーション要件に従って前記アクセスポイントデータベースのセグメントを生成することは、
モバイルクライアントからアップロードされたクラウドソーシングデータを適応的に制御することによって前記アクセスポイントデータベースの前記セグメントのサイズを低減すること、
をさらに備える、請求項１に記載の方法。
【請求項９】
モバイルクライアントからアップロードされたクラウドソーシングデータを適応的に制御することは、
前記モバイルクライアントが位置される前記地理的エリアにおけるアクセスポイントの数に少なくとも部分的に基づいて、アップロードされたクラウドソーシングデータの量を制御すること、
を備える、請求項８に記載の方法。
【請求項１０】
モバイルクライアントからアップロードされたクラウドソーシングデータを適応的に制御することは、
前記モバイルクライアントが位置される地理的エリアにおける複数のアクセスポイントの最大のアンテナレンジに少なくとも部分的に基づいて、アップロードされたクラウドソーシングデータの量を制御すること、
をさらに備える、請求項８に記載の方法。
【請求項１１】
請求項１−１０のいずれか一項のステップを実行するための命令を備える、
１つ以上のコンピュータシステムによる実行のためのコンピュータプログラムを記憶する非トランジトリな媒体を備えるコンピュータプログラム製品。
【請求項１２】
アクセスポイントデータベースの情報を提供するためのシステムであって、
モバイルクライアントからアクセスポイントデータベースにアクセスするための要求を受信するための手段、
少なくとも前記モバイルクライアントのアプリケーション要件に従って前記アクセスポイントデータベースのセグメントを生成するための手段、ここにおいて、前記モバイルクライアントの前記アプリケーション要件は、前記モバイルクライアントによって要求されるプレシジョンレベル、および前記モバイルクライアントのキャッシュレベルを備える、そして、
前記モバイルクライアントに前記アクセスポイントデータベースの前記セグメントを提供するための手段、
を備える、上記システム。
【請求項１３】
前記アクセスポイントデータベースのセグメントを生成するための手段は、
リアル‐タイムで前記アクセスポイントデータベースの前記セグメントを生成するための手段、そして、
あらかじめ生成され、および前記アクセスポイントデータベースに記憶された前記アクセスポイントデータベースの前記セグメントを提供するための手段、
のうちの少なくとも１つを備える、請求項１２に記載のシステム。
【請求項１４】
前記アクセスポイントデータベースのセグメントを生成するための手段は、
前記モバイルクライアントが位置される前記地理的エリアにおける複数のアクセスポイントの密度に従って前記アクセスポイントデータベースの前記セグメントのサイズを低減するための手段、
前記モバイルクライアントが位置される前記地理的エリアの建物の形態に従って前記アクセスポイントデータベースの前記セグメントのサイズを低減するための手段、
前記モバイルクライアントが位置される前記地理的エリアにおける１つ以上のアクセスポイントのポピュラリティに従って前記アクセスポイントデータベースの前記セグメントのサイズを低減するための手段、そして、
前記モバイルクライアントが位置される前記地理的エリアにおける１つ以上のアクセスポイントの最大のアンテナレンジフィールドに従って前記アクセスポイントデータベースの前記セグメントのサイズを低減するための手段、
のうちの少なくとも１つをさらに備える、請求項１２に記載のシステム。
【請求項１５】
少なくとも前記モバイルクライアントのアプリケーション要件に従って前記アクセスポイントデータベースのセグメントを生成するための手段は、
モバイルクライアントからアップロードされたクラウドソーシングデータを適応的に制御することによって前記アクセスポイントデータベースの前記セグメントのサイズを低減するための手段、
をさらに備える、請求項１２に記載のシステム。
【手続補正２】
【補正対象書類名】明細書
【補正対象項目名】００６０
【補正方法】変更
【補正の内容】
【００６０】
[0067]  当業者は、同じ基本となるメカニズムおよび方法論を用いたまま、開示された実施形態の多くの可能性のある修正および組み合わせが使用され得ることを認知するであろう。前述の説明は、説明の目的で、特定の実施形態に関して記載されている。しかしながら、上記の実例となる説明は、開示されたまさにその形式に開示が限定されるまたは包括的になるということを意図されない。多くの修正および変形が、上記の教示を考慮して可能である。実施形態は、開示の原理およびそれらの実用的応用を説明するために選択および説明され、そして当業者に、予期される特定の使用に適すように多様な修正を加えて、開示および多様な実施形態を最も良く活用することを可能にする。
以下に、本願出願の当初の特許請求の範囲に記載された発明を付記する。
［Ｃ１］
アクセスポイントデータベースの情報を提供する方法であって、
モバイルクライアントからアクセスポイントデータベースにアクセスするための要求を受信すること、
少なくとも前記モバイルクライアントのアプリケーション要件に従って前記アクセスポイントデータベースのセグメントを生成すること、そして、
前記モバイルクライアントに前記アクセスポイントデータベースの前記セグメントを提供すること、
を備える、上記方法。
［Ｃ２］
前記モバイルクライアントの前記アプリケーション要件は、
前記モバイルクライアントによって要求されるプレシジョンレベル、そして、
前記モバイルクライアントのキャッシュレベル、
を備える、Ｃ１に記載の方法。
［Ｃ３］
前記アクセスポイントデータベースのセグメントを生成することは、
リアル‐タイムで前記アクセスポイントデータベースの前記セグメントを生成すること、そして、
あらかじめ生成され、および前記アクセスポイントデータベースに記憶された前記アクセスポイントデータベースの前記セグメントを提供すること、
のうちの少なくとも１つを備える、Ｃ１に記載の方法。
［Ｃ４］
前記アクセスポイントデータベースのセグメントを生成することは、
前記モバイルクライアントが位置される地理的エリアにおける複数のアクセスポイントの密度に従って前記アクセスポイントデータベースの前記セグメントのサイズを低減すること、
前記モバイルクライアントが位置される前記地理的エリアの建物の形態に従って前記アクセスポイントデータベースの前記セグメントのサイズを低減すること、
前記モバイルクライアントが位置される前記地理的エリアにおける１つ以上のアクセスポイントのポピュラリティに従って前記アクセスポイントデータベースの前記セグメントのサイズを低減すること、そして、
前記モバイルクライアントが位置される前記地理的エリアにおける１つ以上のアクセスポイントの最大のアンテナレンジフィールドに従って前記アクセスポイントデータベースの前記セグメントのサイズを低減すること、
のうちの少なくとも１つをさらに備える、Ｃ１に記載の方法。
［Ｃ５］
複数のアクセスポイントの密度に従って前記アクセスポイントデータベースの前記セグメントのサイズを低減することは、
前記モバイルクライアントが位置される前記地理的エリアにおけるアクセスポイントの数を決定すること、そして、
所定の低減ファクタに少なくとも部分的に基づいて複数のアクセスポイントの前記数を低減すること、
を備える、Ｃ４に記載の方法。
［Ｃ６］
前記地理的エリアの建物の形態に従って前記アクセスポイントデータベースの前記セグメントのサイズを低減することは、
前記モバイルクライアントが位置される前記地理的エリアにおける建物の密度を入手することおよび前記地理的エリアにおける建物の前記密度に少なくとも部分的に基づいてアクセスポイントの数を低減すること、
前記モバイルクライアントが位置される建物の高さを入手することおよび前記建物の前記高さに少なくとも部分的に基づいて複数のアクセスポイントの前記数を低減すること、そして、
前記建物における複数のアクセスポイントの高度情報を入手することおよび前記高度情報に従ってアクセスポイント配分を維持すること、
のうちの少なくとも１つを備える、Ｃ４に記載の方法。
［Ｃ７］
前記地理的エリアにおける１つ以上のアクセスポイントのポピュラリティに従って前記アクセスポイントデータベースの前記セグメントのサイズを低減することは、
前記地理的エリアにおけるモバイルクライアントによる前記１つ以上のアクセスポイントの使用に従って前記１つ以上のアクセスポイントの各々にスコアを割り当てること、そして、
前記１つ以上のアクセスポイントの各々の前記スコアに少なくとも部分的に基づいてアクセスポイントの数を維持すること、
を備える、Ｃ４に記載の方法。
［Ｃ８］
前記地理的エリアにおける１つ以上のアクセスポイントの最大のアンテナレンジフィールドに従って前記アクセスポイントデータベースの前記セグメントのサイズを低減することは、
最大のアンテナレンジの大きい、中間の、および小さい値を有する複数のアクセスポイントの既定の比率に少なくとも部分的に基づいて複数のアクセスポイントを低減すること、
を備える、Ｃ４に記載の方法。
［Ｃ９］
少なくとも前記モバイルクライアントのアプリケーション要件に従って前記アクセスポイントデータベースのセグメントを生成することは、
モバイルクライアントからアップロードされたクラウドソーシングデータを適応的に制御することによって前記アクセスポイントデータベースの前記セグメントのサイズを低減すること、
をさらに備える、Ｃ１に記載の方法。
［Ｃ１０］
モバイルクライアントからアップロードされたクラウドソーシングデータを適応的に制御することは、
前記モバイルクライアントが位置される地理的エリアにおけるアクセスポイントの数に少なくとも部分的に基づいて、アップロードされたクラウドソーシングデータの量を制御すること、
を備える、Ｃ９に記載の方法。
［Ｃ１１］
モバイルクライアントからアップロードされたクラウドソーシングデータを適応的に制御することは、
前記モバイルクライアントが位置される地理的エリアにおける複数のアクセスポイントの最大のアンテナレンジに少なくとも部分的に基づいて、アップロードされたクラウドソーシングデータの量を制御すること、
をさらに備える、Ｃ９に記載の方法。
［Ｃ１２］
装置であって、
少なくとも１つのプロセッサであって、
モバイルクライアントからアクセスポイントデータベースにアクセスするための要求を受信するように構成される論理、
少なくとも前記モバイルクライアントのアプリケーション要件に従って前記アクセスポイントデータベースのセグメントを生成するように構成される論理、そして、
前記モバイルクライアントに前記アクセスポイントデータベースの前記セグメントを提供するように構成される論理、
を備える、前記少なくとも１つのプロセッサ、
を備える、上記装置。
［Ｃ１３］
前記モバイルクライアントの前記アプリケーション要件は、
前記モバイルクライアントによって要求されるプレシジョンレベル、そして、
前記モバイルクライアントのキャッシュレベル、
を備える、Ｃ１２に記載の装置。
［Ｃ１４］
前記アクセスポイントデータベースのセグメントを生成するように構成される論理は、
リアル‐タイムで前記アクセスポイントデータベースの前記セグメントを生成するように構成される論理、そして、
あらかじめ生成され、および前記アクセスポイントデータベースに記憶された前記アクセスポイントデータベースの前記セグメントを提供するように構成される論理、
のうちの少なくとも１つを備える、Ｃ１２に記載の装置。
［Ｃ１５］
前記アクセスポイントデータベースのセグメントを生成するように構成される論理は、
前記モバイルクライアントが位置される地理的エリアにおける複数のアクセスポイントの密度に従って前記アクセスポイントデータベースの前記セグメントのサイズを低減するように構成される論理、
前記モバイルクライアントが位置される前記地理的エリアの建物の形態に従って前記アクセスポイントデータベースの前記セグメントのサイズを低減するように構成される論理、
前記モバイルクライアントが位置される前記地理的エリアにおける１つ以上のアクセスポイントのポピュラリティに従って前記アクセスポイントデータベースの前記セグメントのサイズを低減するように構成される論理、そして、
前記モバイルクライアントが位置される前記地理的エリアにおける１つ以上のアクセスポイントの最大のアンテナレンジフィールドに従って前記アクセスポイントデータベースの前記セグメントのサイズを低減するように構成される論理、
のうちの少なくとも１つをさらに備える、Ｃ１２に記載の装置。
［Ｃ１６］
複数のアクセスポイントの密度に従って前記アクセスポイントデータベースの前記セグメントのサイズを低減するように構成される論理は、
前記モバイルクライアントが位置される前記地理的エリアにおけるアクセスポイントの数を決定するように構成される論理、そして、
所定の低減ファクタに少なくとも部分的に基づいて複数のアクセスポイントの前記数を低減するように構成される論理、
を備える、Ｃ１５に記載の装置。
［Ｃ１７］
前記地理的エリアの建物の形態に従って前記アクセスポイントデータベースの前記セグメントのサイズを低減するように構成される論理は、
前記モバイルクライアントが位置される前記地理的エリアにおける建物の密度を入手するおよび前記地理的エリアにおける建物の前記密度に少なくとも部分的に基づいてアクセスポイントの数を低減するように構成される論理、
前記モバイルクライアントが位置される建物の高さを入手するおよび前記建物の前記高さに少なくとも部分的に基づいて複数のアクセスポイントの前記数を低減するように構成される論理、そして、
前記建物における複数のアクセスポイントの高度情報を入手するおよび前記高度情報に従ってアクセスポイント配分を維持するように構成される論理、
のうちの少なくとも１つを備える、Ｃ１５に記載の装置。
［Ｃ１８］
前記地理的エリアにおける１つ以上のアクセスポイントのポピュラリティに従って前記アクセスポイントデータベースの前記セグメントのサイズを低減するように構成される論理は、
前記地理的エリアにおけるモバイルクライアントによる前記１つ以上のアクセスポイントの使用に従って前記１つ以上のアクセスポイントの各々にスコアを割り当てるように構成される論理、そして、
前記１つ以上のアクセスポイントの各々の前記スコアに少なくとも部分的に基づいてアクセスポイントの数を維持するように構成される論理、
を備える、Ｃ１５に記載の装置。
［Ｃ１９］
前記地理的エリアにおける１つ以上のアクセスポイントの最大のアンテナレンジフィールドに従って前記アクセスポイントデータベースの前記セグメントのサイズを低減するように構成される論理は、
最大のアンテナレンジの大きい、中間の、および小さい値を有する複数のアクセスポイントの既定の比率に少なくとも部分的に基づいて複数のアクセスポイントを低減するように構成される論理、
を備える、Ｃ１５に記載の装置。
［Ｃ２０］
少なくとも前記モバイルクライアントのアプリケーション要件に従って前記アクセスポイントデータベースのセグメントを生成するように構成される論理は、
モバイルクライアントからアップロードされたクラウドソーシングデータを適応的に制御することによって前記アクセスポイントデータベースの前記セグメントのサイズを低減するように構成される論理、
をさらに備える、Ｃ１２に記載の装置。
［Ｃ２１］
モバイルクライアントからアップロードされたクラウドソーシングデータを適応的に制御するように構成される論理は、
前記モバイルクライアントが位置される地理的エリアにおけるアクセスポイントの数に少なくとも部分的に基づいて、アップロードされたクラウドソーシングデータの量を制御するように構成される論理、
を備える、Ｃ２０に記載の装置。
［Ｃ２２］
モバイルクライアントからアップロードされたクラウドソーシングデータを適応的に制御するように構成される論理は、
前記モバイルクライアントが位置される地理的エリアにおける複数のアクセスポイントの最大のアンテナレンジに少なくとも部分的に基づいて、アップロードされたクラウドソーシングデータの量を制御するように構成される論理、
をさらに備える、Ｃ２０に記載の装置。
［Ｃ２３］
１つ以上のコンピュータシステムによる実行のためのコンピュータプログラムを記憶する固定媒体を備えるコンピュータプログラム製品であって、
モバイルクライアントからアクセスポイントデータベースにアクセスするための要求を受信するためのコード、
少なくとも前記モバイルクライアントのアプリケーション要件に従って前記アクセスポイントデータベースのセグメントを生成するためのコード、そして、
前記モバイルクライアントに前記アクセスポイントデータベースの前記セグメントを提供するためのコード、
を備える、上記コンピュータプログラム製品。
［Ｃ２４］
前記モバイルクライアントの前記アプリケーション要件は、
前記モバイルクライアントによって要求されるプレシジョンレベル、そして、
前記モバイルクライアントのキャッシュレベル、
を備える、Ｃ２３に記載のコンピュータプログラム製品。
［Ｃ２５］
前記アクセスポイントデータベースのセグメントを生成するためのコードは、
リアル‐タイムで前記アクセスポイントデータベースの前記セグメントを生成するためのコード、そして、
あらかじめ生成され、および前記アクセスポイントデータベースに記憶された前記アクセスポイントデータベースの前記セグメントを提供するためのコード、
のうちの少なくとも１つを備える、Ｃ２３に記載のコンピュータプログラム製品。
［Ｃ２６］
前記アクセスポイントデータベースのセグメントを生成するためのコードは、
前記モバイルクライアントが位置される地理的エリアにおける複数のアクセスポイントの密度に従って前記アクセスポイントデータベースの前記セグメントのサイズを低減するためのコード、
前記モバイルクライアントが位置される前記地理的エリアの建物の形態に従って前記アクセスポイントデータベースの前記セグメントのサイズを低減するためのコード、
前記モバイルクライアントが位置される前記地理的エリアにおける１つ以上のアクセスポイントのポピュラリティに従って前記アクセスポイントデータベースの前記セグメントのサイズを低減するためのコード、そして、
前記モバイルクライアントが位置される前記地理的エリアにおける１つ以上のアクセスポイントの最大のアンテナレンジフィールドに従って前記アクセスポイントデータベースの前記セグメントのサイズを低減するためのコード、
のうちの少なくとも１つをさらに備える、Ｃ２３に記載のコンピュータプログラム製品。
［Ｃ２７］
複数のアクセスポイントの密度に従って前記アクセスポイントデータベースの前記セグメントのサイズを低減するためのコードは、
前記モバイルクライアントが位置される前記地理的エリアにおけるアクセスポイントの数を決定するためのコード、そして、
所定の低減ファクタに少なくとも部分的に基づいて複数のアクセスポイントの前記数を低減するためのコード、
を備える、Ｃ２６に記載のコンピュータプログラム製品。
［Ｃ２８］
前記地理的エリアの建物の形態に従って前記アクセスポイントデータベースの前記セグメントのサイズを低減するためのコードは、
前記モバイルクライアントが位置される前記地理的エリアにおける建物の密度を入手するおよび前記地理的エリアにおける建物の前記密度に少なくとも部分的に基づいてアクセスポイントの数を低減するためのコード、
前記モバイルクライアントが位置される建物の高さを入手するおよび前記建物の前記高さに少なくとも部分的に基づいて複数のアクセスポイントの前記数を低減するためのコード、そして、
前記建物における複数のアクセスポイントの高度情報を入手するおよび前記高度情報に従ってアクセスポイント配分を維持するためのコード、
のうちの少なくとも１つを備える、Ｃ２６に記載のコンピュータプログラム製品。
［Ｃ２９］
前記地理的エリアにおける１つ以上のアクセスポイントのポピュラリティに従って前記アクセスポイントデータベースの前記セグメントのサイズを低減するためのコードは、
前記地理的エリアにおけるモバイルクライアントによる前記１つ以上のアクセスポイントの使用に従って前記１つ以上のアクセスポイントの各々にスコアを割り当てるためのコード、そして、
前記１つ以上のアクセスポイントの各々の前記スコアに少なくとも部分的に基づいてアクセスポイントの数を維持するためのコード、
を備える、Ｃ２６に記載のコンピュータプログラム製品。
［Ｃ３０］
前記地理的エリアにおける１つ以上のアクセスポイントの最大のアンテナレンジフィールドに従って前記アクセスポイントデータベースの前記セグメントのサイズを低減するためのコードは、
最大のアンテナレンジの大きい、中間の、および小さい値を有する複数のアクセスポイントの既定の比率に少なくとも部分的に基づいて複数のアクセスポイントを低減するためのコード、
を備える、Ｃ２６に記載のコンピュータプログラム製品。
［Ｃ３１］
少なくとも前記モバイルクライアントのアプリケーション要件に従って前記アクセスポイントデータベースのセグメントを生成するためのコードは、
モバイルクライアントからアップロードされたクラウドソーシングデータを適応的に制御することによって前記アクセスポイントデータベースの前記セグメントのサイズを低減するためのコード、
をさらに備える、Ｃ２３に記載のコンピュータプログラム製品。
［Ｃ３２］
モバイルクライアントからアップロードされたクラウドソーシングデータを適応的に制御するためのコードは、
前記モバイルクライアントが位置される地理的エリアにおけるアクセスポイントの数に少なくとも部分的に基づいて、アップロードされたクラウドソーシングデータの量を制御するためのコード、
を備える、Ｃ３１に記載のコンピュータプログラム製品。
［Ｃ３３］
モバイルクライアントからアップロードされたクラウドソーシングデータを適応的に制御するためのコードは、
前記モバイルクライアントが位置される地理的エリアにおける複数のアクセスポイントの最大のアンテナレンジに少なくとも部分的に基づいて、アップロードされたクラウドソーシングデータの量を制御するためのコード、
をさらに備える、Ｃ３１に記載のコンピュータプログラム製品。
［Ｃ３４］
アクセスポイントデータベースの情報を提供するためのシステムであって、
モバイルクライアントからアクセスポイントデータベースにアクセスするための要求を受信するための手段、
少なくとも前記モバイルクライアントのアプリケーション要件に従って前記アクセスポイントデータベースのセグメントを生成するための手段、そして、
前記モバイルクライアントに前記アクセスポイントデータベースの前記セグメントを提供するための手段、
を備える、上記システム。
［Ｃ３５］
前記アクセスポイントデータベースのセグメントを生成するための手段は、
リアル‐タイムで前記アクセスポイントデータベースの前記セグメントを生成するための手段、そして、
あらかじめ生成され、および前記アクセスポイントデータベースに記憶された前記アクセスポイントデータベースの前記セグメントを提供するための手段、
のうちの少なくとも１つを備える、Ｃ３４に記載のシステム。
［Ｃ３６］
前記アクセスポイントデータベースのセグメントを生成するための手段は、
前記モバイルクライアントが位置される地理的エリアにおける複数のアクセスポイントの密度に従って前記アクセスポイントデータベースの前記セグメントのサイズを低減するための手段、
前記モバイルクライアントが位置される前記地理的エリアの建物の形態に従って前記アクセスポイントデータベースの前記セグメントのサイズを低減するための手段、
前記モバイルクライアントが位置される前記地理的エリアにおける１つ以上のアクセスポイントのポピュラリティに従って前記アクセスポイントデータベースの前記セグメントのサイズを低減するための手段、そして、
前記モバイルクライアントが位置される前記地理的エリアにおける１つ以上のアクセスポイントの最大のアンテナレンジフィールドに従って前記アクセスポイントデータベースの前記セグメントのサイズを低減するための手段、
のうちの少なくとも１つをさらに備える、Ｃ３４に記載のシステム。
［Ｃ３７］
少なくとも前記モバイルクライアントのアプリケーション要件に従って前記アクセスポイントデータベースのセグメントを生成するための手段は、
モバイルクライアントからアップロードされたクラウドソーシングデータを適応的に制御することによって前記アクセスポイントデータベースの前記セグメントのサイズを低減するための手段、
をさらに備える、Ｃ３４に記載のシステム。